(57)【特許請求の範囲】
【請求項１】
郵便はがきであることの表示を施した本体紙片と、前記本体紙片の一方の側端に折線を介して連接した裏紙片と、前記本体紙片の他方の側端に折線を介して連接した表紙片とからなり、本体紙片に施した前記表示が表出するように前記表紙片は前記本体紙片より狭幅の辺を有し、前記表紙片と前記本体紙片、および、前記本体紙片と前記裏紙片の対向する面間をそれぞれ剥離可能に接着した構成からなる見開き葉書において、少なくとも前記本体紙片の一方の面、または、前記裏紙片の剥離可能に接着した面のいずれかの面に返信用宛先宛名が設けられ、かつ、前記返信用宛先宛名が設けられた面が表出するように前記表紙片または前記裏紙片のうちの少なくとも一方を折線を介して本体紙片に折り重ね、所定周縁部を密封する糊付け部を設けることにより返信封筒として利用可能にしたことを特徴とする返信手段を具備した隠蔽葉書。
【請求項２】
前記表紙片と前記本体紙片との間に設けられた折線にミシン目加工を施してあることを特徴とする請求項１記載の返信手段を具備した隠蔽葉書。
【請求項３】
前記本体紙片と前記裏紙片との間に設けられた折線にミシン目加工を施してあることを特徴とする請求項１記載の返信手段を具備した隠蔽葉書。
【請求項４】
前記所定周縁部の内側近傍に前記返信用封書を開封するためのミシン目加工を施してあることを特徴とする請求項１〜３何れか記載の返信手段を具備した隠蔽葉書。
【請求項５】
前記糊付け部に再湿糊が設けられていることを特徴とする請求項１〜４何れか記載の返信手段を具備した隠蔽葉書。
【請求項６】
請求項１〜５何れか記載の隠蔽葉書の使用方法であって、前記返信用宛先宛名が施された面が表出するように前記表紙片と前記裏紙片を前記折線を介して順次前記本体紙片の同一側面に折り重ね、所定周縁部を密封することにより返信用封書として用いることを特徴とする返信手段を具備した隠蔽葉書の使用方法。
【請求項７】
請求項１〜５何れか記載の隠蔽葉書の使用方法であって、前記表紙片を前記表紙片と前記本体紙片との間に設けられた折線で切り離し、前記返信用宛先宛名が施された面が表出するように前記本体紙片と前記裏紙片をその間に設けられた折線で折り重ね、所定周縁部を密封することにより返信用封書として用いることを特徴とする返信手段を具備した隠蔽葉書の使用方法。
【発明の詳細な説明】
【０００１】
【発明の属する技術分野】
本発明は、情報を隠蔽できる見開き葉書に関し、更に詳しくは、返信手段を具備した隠蔽葉書およびその使用方法に関するものである。
【０００２】
【従来の技術】
従来、発信者は、受信者にその受信者固有の隠蔽情報を発信する場合、次のような方法を用いて行っている。すなわち、第１の方法として、発信した情報についての意見や意向、あるいは、意思決定等の返信情報が欲しい場合であって、その返信情報が受信者固有の隠蔽情報の時は返信封筒を同封した封書や返信葉書と該返信葉書の隠蔽情報部分を隠蔽するためのタックシールを同封した封書、また、往復葉書の往信片の裏面に往信片と連接した裏紙片を折り重ね、剥離可能に接着した構成からなる隠蔽往信片の表面に返信片の隠蔽情報部分を隠蔽するためのタックシールを貼着した往復葉書が用いられている。
【０００３】
また、第２の方法として、上記の返信情報がオープン情報の時は返信葉書を同封した封書や上記往復葉書の表面から返信片の隠蔽情報部分を隠蔽するためのタックシールを除いた往復葉書が用いられている。
【０００４】
また、第３の方法として、発信者が返信情報を必要としない時は、本体紙片より狭幅の表紙片と本体紙片と裏紙片からなる紙片を、本体紙片の表面に表紙片を折り重ねると共に本体紙片の裏面に裏紙片を折り重ねて、それぞれ対向する面間を剥離可能に接着した構成からなる隠蔽葉書が用いられている。
【０００５】
上記の第１、第２、第３方法の特徴を表１にまとめて示す。
【０００６】
【表１】
0003789568.tif 000002
【０００７】
表１からもわかるように、返信時の隠蔽情報の量が葉書１面分から葉書３面分程度の量を確保できるコスト的にもリーズナブル返信手段が現状はなく、また、第３の方法の隠蔽葉書は返信手段を持たない現状である。
【０００８】
【発明が解決しようとする課題】
そこで本発明は、発信時には隠蔽葉書として機能し、返信時には封書として機能し、かつ、コスト的にもリーズナブルな返信手段を具備した隠蔽葉書およびその使用方法を提供することである。
【０００９】
【課題を解決するための手段】
上記課題は以下の本発明によって解決される。
即ち、本発明の第1の態様は、郵便はがきであることの表示を施した本体紙片と、前記本体紙片の一方の側端に折線を介して連接した裏紙片と、前記本体紙片の他方の側端に折線を介して連接した表紙片とからなり、本体紙片に施した前記表示が表出するように前記表紙片は前記本体紙片より狭幅の辺を有し、前記表紙片と前記本体紙片、および、前記本体紙片と前記裏紙片の対向する面間をそれぞれ剥離可能に接着した構成からなる見開き葉書において、少なくとも前記本体紙片の一方の面、または、前記裏紙片の剥離可能に接着した面のいずれかの面に返信用宛先宛名が設けられ、かつ、前記返信用宛先宛名が設けられた面が表出するように前記表紙片または前記裏紙片のうちの少なくとも一方を折線を介して本体紙片に折り重ね、所定周縁部を密封する糊付け部を設けることにより返信封筒として利用可能にしたことを特徴とする返信手段を具備した隠蔽葉書である。
また、本発明の第２の態様は、前記第１の態様において、前記表紙片と前記本体紙片との間に設けられた折線にミシン目加工を施してあることを特徴とする返信手段を具備した隠蔽葉書である。
また、本発明の第３の態様は、前記第１の態様において、前記本体紙片と前記裏紙片との間に設けられた折線にミシン目加工を施してあることを特徴とする返信手段を具備した隠蔽葉書である。
また、本発明の第４の態様は、前記第１〜３何れかの態様において、前記所定周縁部の内側近傍に前記返信用封書を開封するためのミシン目加工を施してあることを特徴とする返信手段を具備した隠蔽葉書である。
また、本発明の第５の態様は、前記第１〜４何れかの態様において、前記糊付け部に再湿糊が設けられていることを特徴とする返信手段を具備した隠蔽葉書である。
【００１０】
また、本発明の第６の態様は、前記第１〜５何れかの態様の隠蔽葉書の使用方法であって、前記返信用宛先宛名が施された面が表出するように前記表紙片と前記裏紙片を前記折線を介して順次前記本体紙片の同一側面に折り重ね、所定周縁部を密封することにより返信用封書として用いることを特徴とする返信手段を具備した隠蔽葉書の使用方法である。
また、本発明の第７の態様は、前記第１〜５何れかの態様の隠蔽葉書の使用方法であって、前記表紙片を前記表紙片と前記本体紙片との間に設けられた折線で切り離し、前記返信用宛先宛名が施された面が表出するように前記本体紙片と前記裏紙片をその間に設けられた折線で折り重ね、所定周縁部を密封することにより返信用封書として用いることを特徴とする返信手段を具備した隠蔽葉書の使用方法である。
【００１１】
【発明の実施の形態】
上記の本発明について、図面等を用いて以下に更に詳しく説明する。
まず、図１は本発明の返信手段を具備した隠蔽葉書の実施例の斜視図、図２は本発明の返信手段を具備した隠蔽葉書の実施例の横断図、図３は実施例の返信手段を具備した隠蔽葉書を剥離可能に接着した面で剥離して開いた状態を示す斜視図、図４は本発明の返信手段を具備した隠蔽葉書を返信用封書として用いる場合の該返信用封書開封用に設けたミシン目と返信時の糊付け部ないしは再湿糊加工部の位置関係の１実施例を示す隠蔽葉書紙片の発信用宛先宛名側面から透視した平面図、図５〜図１０は本発明の返信手段を具備した隠蔽葉書を返信用に用いる場合の１実施例の隠蔽葉書紙片の表面と裏面を示す平面図であり、前記表面と前記裏面の位置関係は、前記隠蔽葉書紙片の長辺を軸にして１８０度回転させた位置関係であり、前記隠蔽葉書紙片の表面は発信用宛先宛名側面を指し、前記隠蔽葉書紙片の裏面は発信用宛先宛名側面の反対側面を指す。図中の１は本体紙片、２は表紙片、３は裏紙片、4a,4b は折線ないしはミシン目、５は剥離可能接着部、６は切欠部、７は紙基体、８は感圧接着剤層、9a,9b は本体紙片の発信用宛先宛名側面とその裏面、10a,10b は表紙片の発信用宛先宛名側面とその裏面、11a,11b は同じく裏紙片の発信用宛先宛名側面とその裏面、12,13,14,15 は返信時の糊付け部ないしは再湿糊加工部、１６は封書開封時のミシン目、１７は返信用封書をそれぞれ示す。
【００１２】
本発明の返信手段を具備した隠蔽葉書の実施例は図１、図２に示す通りである。図１の斜視図に示すように、本体紙片１の表面に本体紙片１より狭幅の表紙片２が折り重ねられ、露出した本体紙片１の表面領域に「郵便はがき」等の郵便はがきであることの表示が施され、本体紙片１の露出した表面領域と表紙片２の表面とで隠蔽葉書の表面を形成している。図２の横断図に示すように、本体紙片１の表面に本体紙片１より狭幅の表紙片２が折線4aにて折り重ねられ、対向する面間が剥離可能接着部５にて剥離可能に接着されると共に、本体紙片１の裏面に本体紙片１と略同幅の裏紙片３が折線4bにて折り重ねられ、対向する面間が剥離可能接着部５にて剥離可能に接着されている。
【００１３】
図３は、本発明の返信手段を具備した隠蔽葉書の表紙片２および裏紙片３を本体紙片１から折線4a,4b で剥離して見開いた斜視図である。折線4a,4b を介して本体紙片１の両側端に表紙片２および裏紙片３が連接している。図中の６は本体紙片１から裏紙片３を容易に剥離するための切欠部、７は紙基体、８は感圧接着剤層である。また、9a,9b は本体紙片１の発信用宛先宛名側面とその裏面、10a,10b は表紙片２の発信用宛先宛名側面とその裏面、11a,11b は同じく裏紙片３の発信用宛先宛名側面とその裏面である。前記隠蔽葉書を発信するときは10a 面が発信時の宛先宛名面となり、11b 面が発信時の裏面となり、9a,9b および10b,11a が発信時の隠蔽情報面となる。
【００１４】
図４は、本発明の返信手段を具備した隠蔽葉書を返信用封書として用いる場合の該返信用封書開封用に設けたミシン目と返信時の糊付け部ないしは再湿糊加工部の位置関係の１実施例を示す隠蔽葉書紙片の発信用宛先宛名側面から透視した平面図であって、斜線部１２は返信時の糊付け部ないしは再湿糊加工部であり、点線１６は返信用封書開封時に用いられるミシン目である。
【００１５】
【実施例】
次に、本発明の返信手段を具備した隠蔽葉書を返信用に共する実施例を返信用宛先宛名を施す面を変えた図面を用いて、さらに詳しく説明する。
実施例１
図５は、本発明の返信手段を具備した隠蔽葉書の表紙片２および裏紙片３を本体紙片１から折線4a,4b で剥離して見開き、発信用宛先宛名側を上にした平面図（以下、表面図という）と前記平面図の長辺を軸にして１８０度回転させた平面図（以下、裏面図という）である。本図は表面図に示す裏紙片３の11a 面に返信用宛先宛名を施した場合であって封書として用いる実施例である。これを封書にするには、まず表紙片２を返信用宛先宛名を施した面と反対側に折り本体紙片１と重ね合わせ、次に返信用宛先宛名を施した裏紙片３を返信用宛先宛名が表出するように折り重ね合わせて、表面図および裏面図に示す斜線１２の糊付け部に糊を付けて貼着することでできる。斜線１２の糊付け部の再湿糊形成は、隠蔽葉書の製造時に文字や柄の印刷と同時に再湿糊を印刷しておこなうが、その場合、斜線１２の糊付け部の再湿糊の印刷は、発信時に感圧接着剤で接着し、返信時に再湿糊で接着するように部分的に施しておく。また、ミシン目１６も上記印刷と同時に通常のミシン目加工法で形成する。ミシン目１６の位置は返信時の斜線部１２の糊付け部ないしは再湿糊加工部の内側近傍に設けると共に返信封書開封時に開封し易くするために一部返信封書の外縁まで設けることができる。本実施例の場合の返信時の隠蔽情報は9b,10bの２面となる。また、本図で表面図に示す本体紙片１の9a面に返信用宛先宛名を施した場合でも、上記と同方法で封書として用いることができ、上記同様返信時の隠蔽情報は9b,10bの２面となる。
【００１６】
実施例２
図６は、裏面図に示す本体紙片１の9b面に返信用宛先宛名を施した場合であって、上記同様に封書として用いる実施例である。これを封書にするには、まず表紙片２を返信用宛先宛名を施した面が表出するように折り本体紙片１と重ね合わせ、次に裏紙片３を本体紙片１に重ね合わせた表紙片２の上に折り重ね合わせて、表面図及び裏面図に示す斜線１３の糊付け部に糊を付けて貼着することでできる。斜線１３の糊付け部の再湿糊加工も上記の方法で形成することができる。また、ミシン目１６も上記の位置に上記の方法で設けることができる。本実施例の場合の返信時の隠蔽情報は9a,10b,11aの３面となり、図５の本発明の実施例よりも返信時の隠蔽情報は１．５倍に増加する。
【００１７】
実施例３
図７は、表紙片２を該表紙片２と本体紙片１との間に設けられた折線4aで切り離して後に、表面図に示す本体紙片１の9a面あるいは裏紙片３の11a 面に返信用宛先宛名を施した場合であって、上記同様に封書として用いる場合の実施例である。これを封書にするには、返信用宛先宛名を施した面が表出するように本体紙片１と裏紙片３を折り合わせて、裏面図に示す斜線１４の糊付け部に糊を付けて貼着することでできる。斜線１４の糊付け部の再湿糊加工も上記の方法で形成することができる。また、ミシン目１６も斜線部１４の糊付け部ないしは再湿糊加工部の内側近傍に設けると共に返信封書開封時に開封し易くするために一部返信封書の外縁まで上記の方法で設けることができる。本実施例の場合の返信時の隠蔽情報は9bの１面となる。
【００１８】
実施例４
図８は、表紙片２を該表紙片２と本体紙片１との間に設けられた折線4aで切り離して後に、裏面図に示す本体紙片１の9b面に返信用宛先宛名を施した場合であって、上記同様に封書として用いる場合の実施例である。これを封書にするには、返信用宛先宛名を施した面が表出するように本体紙片１と裏紙片３を折り合わて、表面図に示す斜線１５の糊付け部に糊を付けて貼着することでできる。また、斜線１５の糊付け部の再湿糊加工も上記の方法で形成することができる。また、ミシン目１６も上記の位置に上記の方法で設けることができる。本実施例の場合の返信時の隠蔽情報は9a,11aの２面となり、図７の本発明の実施例よりも返信時の隠蔽情報は２倍に増加する。また、図７、図８の本体紙片１と表紙片２との間に設けられた折線4aにミシン目加工を施すことで本体紙片１から表紙片２を容易に切り離すことができる
【００１９】
実施例５
図９、図１０は、本体紙片１と表紙片２と裏紙片３を折線4a,4b でそれぞれ切り離して後に、前記本体紙片１ないしは前記裏紙片３を返信用葉書として用いる場合の実施例である。図９は、表面図に示すように裏紙片３の11a 面に返信用宛先宛名を施した場合であり、図１０は、裏面図に示すように本体紙片１の9b面に返信用宛先宛名を施した場合の実施例である。本実施例の場合の返信時の情報はオープンな情報が基本となる。本実施例においても、前記折線4a,4b にミシン目加工を施すことで本体紙片１から表紙片２および裏紙片３を容易に切り離すことができる。
【００２０】
なお、実施例１、３および５の裏紙片を用いる場合には、郵便はがきの表示が表面にくることがないためにそのまま利用でき、利便性に優れる。また、実施例５の本体紙片を用いる場合にも、郵便はがきの表示が宛先宛名面にくるために、これも利便性に優れるものである。
【００２１】
【発明の効果】
本発明によれば、往信時は通常の隠蔽葉書として使用でき、返信時は往信に使用した隠蔽葉書を利用して封筒形態の返信手段が得られるので、従来のものと比較して費用対効果の優れた郵送手段が提供できる。
即ち、従来の往復葉書に比べると返信時は封書となるので返信可能な情報量が大幅に増加するという効果がある。
また、返信時に返信用封筒を別途用意する必要がないので余計な経費が発生しないという効果がある。
また、返信用宛先宛名が予め設けられているので、返信時に返信用封筒へ宛先宛名を記入する必要がなく作業性が良いという効果がある。
【００２２】
【表２】
0003789568.tif 000003
【図面の簡単な説明】
【図１】本発明にかかる返信手段を具備した隠蔽葉書の実施例の斜視図である。
【図２】本発明にかかる返信手段を具備した隠蔽葉書の実施例の横断図である。
【図３】本発明にかかる返信手段を具備した隠蔽葉書を剥離して開いた状態を示す斜視図である。
【図４】本発明にかかる返信手段を具備した隠蔽葉書を返信用封書として用いる場合の該返信用封書開封用に設けたミシン目と返信時の糊付け部ないしは再湿糊加工部の位置関係の１実施例を示す隠蔽葉書紙片の発信用宛先宛名側から透視した平面図である。
【図５】本発明にかかる返信手段を具備した隠蔽葉書を返信用に用いる場合の１実施例の隠蔽葉書紙片の表面と裏面を示す平面図である。
【図６】本発明にかかる返信手段を具備した隠蔽葉書を返信用に用いる場合の１実施例の隠蔽葉書紙片の表面と裏面を示す平面図である。
【図７】本発明にかかる返信手段を具備した隠蔽葉書を返信用に用いる場合の１実施例の隠蔽葉書紙片の表面と裏面を示す平面図である。
【図８】本発明にかかる返信手段を具備した隠蔽葉書を返信用に用いる場合の１実施例の隠蔽葉書紙片の表面と裏面を示す平面図である。
【図９】本発明にかかる返信手段を具備した隠蔽葉書を返信用に用いる場合の１実施例の隠蔽葉書紙片の表面と裏面を示す平面図である。
【図１０】本発明にかかる返信手段を具備した隠蔽葉書を返信用に用いる場合の１実施例の隠蔽葉書紙片の表面と裏面を示す平面図である。
【図１１】本発明にかかる返信手段を具備した隠蔽葉書を返信用封書にした１実施例の平面図である。
【符号の説明】
１          本体紙片
２          表紙片
３          裏紙片
4a,4b       折線
５          剥離可能接着部
６          切欠部
７          紙基体
８          感圧接着剤層
9a          隠蔽葉書紙片の本体紙片の発信用宛先宛名側面
9b          隠蔽葉書紙片の本体紙片の発信用宛先宛名側面の反対面
10a          表紙片の発信用宛先宛名側面
10b          表紙片の発信用宛先宛名側面の反対面
11a          隠蔽葉書紙片の裏紙片の発信用宛先宛名側面
11b          隠蔽葉書紙片の裏紙片の発信用宛先宛名側面の反対面
12,13,14,15  返信時の糊付け部ないしは再湿糊加工部
16           返信用封書開封用のミシン目
17           返信用封書
【図１】
0003789568.tif 000004
【図２】
0003789568.tif 000005
【図３】
0003789568.tif 000006
【図４】
0003789568.tif 000007
【図５】
0003789568.tif 000008
【図６】
0003789568.tif 000009
【図７】
0003789568.tif 000010
【図８】
0003789568.tif 000011
【図９】
0003789568.tif 000012
【図１０】
0003789568.tif 000013
【図１１】
0003789568.tif 000014